(57)【要約】【課題】警報情報画像を縮小して表示する場合でも警報状態の忘却を防止することが可能な車両用表示装置を提供する。【解決手段】画像表示装置１０に計測情報画像ＧＲ１，２を表示させる第１の表示モード（Ｓ１）と、警報情報画像ＧＲ３を表示させる第２の表示モード（Ｓ３）とを有する車両用表示装置において、第２の表示モード（Ｓ３）では、警報情報画像ＧＲ３を第１の箇所Ｐ１に第１のサイズＳＺ１で表示させ、その後、第１の表示切替条件を充足したか否か（Ｓ５）に基づいて警報情報画像ＧＲ３を第２の箇所Ｐ２に移動させて第２のサイズＳＺ２で表示させ、その後、第２の表示切替条件を充足したか否か（Ｓ７）に基づいて警報情報画像ＧＲ３を第１の箇所Ｐ１に移動させて第１のサイズＳＺ１で表示させる。【選択図】  図２
2010070078.tif 000002
【特許請求の範囲】
【請求項１】
画像表示装置と、
この画像表示装置に車両情報として計測情報画像と警報情報画像とを表示させる制御手段とを備え、
前記制御手段が所定の入力情報に応じて前記画像表示装置の画像表示領域内に前記計測情報画像を表示させる第１の表示モードと前記画像表示装置に前記警報情報画像を表示させる第２の表示モードとを実行してなる車両用表示装置において、
前記制御手段は、前記第２の表示モードで前記警報情報画像を表示させる際、前記警報情報画像を前記画像表示領域内の第１の箇所に第１のサイズで表示させ、その後、所定の第１の表示切替条件を充足したか否かを判定し、この条件を充足する場合は前記警報情報画像を前記第１の箇所から前記画像表示領域内の第２の箇所に移動させて前記第１のサイズよりも小さな第２のサイズで表示し、その後、所定の第２の表示切替条件を充足したか否かを判定し、この条件を充足した場合は前記警報情報画像を前記第２の箇所から前記第１の箇所または前記画像表示領域内の第３の箇所に移動させて前記第１のサイズまたは前記第１のサイズよりも大きな第３のサイズで表示させることを特徴とする車両用表示装置。
【請求項２】
前記制御手段は前記第１の表示切替条件を充足したとき、前記警報情報画像を前記第１の箇所から前記第２の箇所に移動させながら前記第１のサイズから前記第２のサイズに徐々に大きさを変化させることを特徴とする請求項１記載の車両用表示装置。
【請求項３】
前記制御手段は前記第２の表示切替条件を充足したとき、前記警報情報画像を前記第２の箇所から前記第１の箇所または前記第３の箇所に移動させながら前記第２のサイズから前記第１のサイズまたは前記第３のサイズに徐々に大きさを変化させることを特徴とする請求項１記載の車両用表示装置。
【請求項４】
前記制御手段は前記第２の表示切替条件を充足したとき、前記警報情報画像の表示に加えて前記画像表示装置に所定の注意喚起画像を表示させることを特徴とする請求項１記載の車両用表示装置。
【発明の詳細な説明】
【技術分野】
【０００１】
本発明は、車両情報を表示する車両用表示装置に関するものである。
【背景技術】
【０００２】
この種の車両用表示装置として例えば下記特許文献１に記載されているものが知られている。この車両用表示装置は、液晶パネル等からなる画像表示装置と、この画像表示装置に車両情報として計測情報画像と警報情報画像とを表示させるマイクロコンピュータを含む制御手段とを備えている。制御手段は所定の入力情報（センサからの信号）に基づいて画像表示装置の画像表示領域内にタコメータ等の計測情報画像を表示させる通常表示モード（第１の表示モード）と、画像表示装置にワーニングシンボルからなる警報情報画像を表示させる警報表示モード（第２の表示モード）とを実行してなる。そして警報表示モードで警報情報画像を表示させる際、警報情報画像を一旦、画像表示領域内の第１の箇所（画面の中央寄り）に第１のサイズで表示させ、その後、所定時間経過したか否か（第１の表示切替条件を充足したか否か）を判定し、所定時間経過した場合は警報情報画像を第１の箇所から画像表示領域内の第２の箇所（画面の角）に移動させ、第１のサイズよりも小さな第２のサイズで縮小表示してなるものである。
【特許文献１】特開昭６２−５８１１２号公報
【発明の開示】
【発明が解決しようとする課題】
【０００３】
しかしながら上記公報に記載の車両用表示装置にあっては、警報情報画像を一旦、大きく表示した後、所定時間の経過で縮小することにより、異常発生時には警報情報画像を大きく表示して視認性を良くし、その後は警報情報画像を縮小して継続表示することで煩わしさの軽減や表示スペースの効率利用を図ることができるが、警報情報画像を縮小して画面の角に移動した後はその状態が継続するため、警報情報画像が目立たちにくく、警報に対する対処が遅れてしまうことが懸念される。
【０００４】
本発明は前述した問題点に着目し、警報情報画像を縮小して表示する場合でも警報状態の忘却を防止することが可能な車両用表示装置を提供するものである。
【課題を解決するための手段】
【０００５】
本発明は、前述した課題を解決するため、画像表示装置と、この画像表示装置に車両情報として計測情報画像と警報情報画像とを表示させる制御手段とを備え、前記制御手段が所定の入力情報に応じて前記画像表示装置の画像表示領域内に前記計測情報画像を表示させる第１の表示モードと前記画像表示装置に前記警報情報画像を表示させる第２の表示モードとを実行してなる車両用表示装置において、前記制御手段は、前記第２の表示モードで前記警報情報画像を表示させる際、前記警報情報画像を前記画像表示領域内の第１の箇所に第１のサイズで表示させ、その後、所定の第１の表示切替条件を充足したか否かを判定し、この条件を充足する場合は前記警報情報画像を前記第１の箇所から前記画像表示領域内の第２の箇所に移動させて前記第１のサイズよりも小さな第２のサイズで表示し、その後、所定の第２の表示切替条件を充足したか否かを判定し、この条件を充足した場合は前記警報情報画像を前記第２の箇所から前記第１の箇所または前記画像表示領域内の第３の箇所に移動させて前記第１のサイズまたは前記第１のサイズよりも大きな第３のサイズで表示させることを特徴とする。これにより、第１の表示切替条件の成立で警報情報画像を第１の箇所から第２の箇所に移動して第２のサイズで縮小表示した場合でも、第２の表示切替条件の成立で警報情報画像を再び第１の箇所もしくはその近傍に移動して第１のサイズまたはそれより大きい第３のサイズに拡大して表示するため、警報状態の忘却を防止することができる。
【０００６】
また本発明は、前記制御手段は前記第１の表示切替条件を充足したとき、前記警報情報画像を前記第１の箇所から前記第２の箇所に移動させながら前記第１のサイズから前記第２のサイズに徐々に大きさを変化させることを特徴とする。これにより、警報情報画像の移動先を認識しやすくすると共に急激な移動とサイズ変更に伴う違和感を軽減することができる。
【０００７】
また本発明は、前記制御手段は前記第２の表示切替条件を充足したとき、前記警報情報画像を前記第２の箇所から前記第１の箇所または前記第３の箇所に移動させながら前記第２のサイズから前記第１のサイズまたは前記第３のサイズに徐々に大きさを変化させることを特徴とする。これにより、警報情報画像の移動先を認識しやすくすると共に急激な移動とサイズ変更に伴う違和感を軽減することができる。
【０００８】
また本発明は、前記制御手段は前記第２の表示切替条件を充足したとき、前記警報情報画像の表示に加えて前記画像表示装置に所定の注意喚起画像を表示させることを特徴とする。これにより、再び警報情報画像を拡大表示する場合には、注意喚起性を向上させることができ、警報状態の忘却防止をより強化することができる。
【発明の効果】
【０００９】
本発明によれば、初期の目的を達成することができ、警報情報画像を縮小して表示する場合でも警報状態の忘却を防止することができる。
【発明を実施するための最良の形態】
【００１０】
以下、本発明の実施の形態について添付図面を用いて説明する。
【００１１】
図１から図５は、本発明による車両用表示装置の第１の実施形態を示すもので、図１は本実施形態による車両用表示装置のシステム概要を示すブロック図、図２は表示モードの切替処理を示すフロー図、図３〜図５は表示画像を示す正面図である。
【００１２】
図１において、本実施形態による車両用表示装置１は、画像表示装置１０と、この画像表示装置１０に車両情報を画像として表示させる制御手段２０とを備えており、例えば車内ＬＡＮ（Ｌｏｃａｌ Ａｒｅａ Ｎｅｔｗｏｒｋ）を介して車側ＥＣＵ（Ｅｎｇｉｎｅ Ｃｏｎｔｒｏｌ Ｕｎｉｔ）と接続されている。
【００１３】
画像表示装置１０は、例えばＴＦＴ（薄膜トランジスタ）型液晶パネルからなるが、制御手段２０による制御のもと、車両情報を画像として表示させることができれば、ＥＬパネル等の任意の表示パネルを用いることができる。
【００１４】
制御手段２０は、例えばマイクロコンピュータやグラフィックコントローラ、ＲＯＭ、ＲＡＭ、フラッシュメモリ等の記憶装置をはじめ、車内ＬＡＮを通じて入力する車側ＥＣＵからの所定の入力情報（この場合、例えば車両情報として車速センサ、エンジン回転センサ、タイヤ空気圧センサからの情報やユーザのスイッチ操作に基づく情報）に応じて画像表示装置１０を駆動制御し、後述する画像を表示させるのに必要な素子を含んでいる。
【００１５】
次に図２〜図５に基づいて、制御手段２０により実行される表示モードの切替処理について説明する。まずステップＳ１では、制御手段２０の制御のもと、画像表示装置１０の画像表示領域（表示画面）内に第１の表示モード（通常表示モード）として、第１，第２の計測情報画像（車両情報）ＧＲ１，２が表示されているものとする（図３参照）。第１の計測情報画像ＧＲ１は、画像表示領域の左側に位置し車両速度をアナログ表示する。第２の計測情報画像ＧＲ２は、画像表示領域の右側に位置し車両エンジン回転をアナログ表示する。各計測情報画像ＧＲ１，２は、制御手段２０が車内ＬＡＮを通じて入力する所定の入力情報に基づいて、前記記憶装置に格納されている複数パターンからなる画像データを読み出し再生することにより動画として表示されるものであり、各々が回転する指針３１とこの指針３１の指示対象となる指標部３２を備えている。なお各計測情報画像ＧＲ１，２はデジタル形式の表示であってもよい。
【００１６】
続くステップＳ２では、警報条件が成立したか否か、具体的にはタイヤ空気圧センサからの情報に基づいて空気圧が所定の値以下となったか否かが判定され、この場合、所定の値以下となった場合、警報条件が成立した（ＹＥＳ）と判断し、ステップＳ３に進む。警報条件不成立（ＮＯ）の場合は第１の表示モード（ステップＳ１）が継続する。
【００１７】
ステップＳ３では、画像表示装置１０の画像表示領域内に第２の表示モード（警報表示モード）として第１，第２の計測情報画像ＧＲ１，２と、警報情報画像（車両情報）ＧＲ３とを表示させる（図４参照）。第１，第２の計測情報画像ＧＲ１，２はステップＳ１と同じである。警報情報画像ＧＲ３は、空気圧が所定の値以下となったことを示す警報画像であり、円形の縁取り画像と、縁取り画像内に配されたタイヤ画像からなる背景画像と、この背景画像上に重ねられたタイヤ空気圧に関するアイコン画像及び「Ｔｙｒｅ  Ｐｒｅｓｓｕｒｅ」なる文字画像を組み合わせてなるもので、各計測情報画像ＧＲ１，２間のやや上部に位置する第１の箇所Ｐ１に所定の第１のサイズＳＺ１で表示される。
【００１８】
ステップＳ４では、再び警報条件が成立したか否か（すなわちステップＳ２の警報要件成立が継続しているか）が判定され、判定がＹＥＳ（警報条件成立）であればステップＳ５に進み、ＮＯであればステップＳ１に移行する。
【００１９】
ステップＳ５では、第１の表示切替条件が成立したか否かが判断される。第１の表示切替条件としては、この場合、ステップＳ３の第２の表示モードに移行してから１分が経過するか、あるいはユーザのスイッチ操作に基づく情報を受信した場合、第１の表示切替条件が成立した（ＹＥＳ）と判断し、ステップＳ６に進む。つまり、第２の表示モードに移行してから６０秒が経過すれば無条件にステップＳ６に進み、第２の表示モードに移行してから６０秒が経過する前であってもユーザのスイッチ操作に基づく情報を受信した場合はステップＳ６に進む。なお本実施形態ではこのように時間とスイッチ操作の２重条件を設定したか、いずれか一方の条件のみとしてもよい。
【００２０】
ステップＳ６では、ステップＳ３の第２の表示モードにおいて、第１の箇所Ｐ１に表示されていた警報情報画像ＧＲ３が、第２の箇所Ｐ２となる第２の計測情報画像ＧＲ２内に移動し、且つステップＳ３の時よりも縮小された第２のサイズＳＺ２で表示される（図５参照）。第２のサイズＳＺ２で表示される警報情報画像ＧＲ３は、第１のサイズＳＺ１で表示される警報情報画像ＧＲ３と比べると、円形の縁取り画像と、背景画像がなく、アイコン画像と文字画像だけに簡素化されている。
【００２１】
ステップＳ７では、再び警報条件が成立したか否か（すなわちステップＳ２の警報要件成立が継続しているか）が判定され、判定がＮＯであればステップＳ１に移行し、ＹＥＳであればステップＳ８に進む。
【００２２】
ステップＳ８では、第２の表示切替条件が成立したか否かが判断される。第２の表示切替条件としては、例えばステップＳ５の第１の表示切替条件の成立、またはステップＳ６の警報情報画像ＧＲ３の移動及び縮小から５分が経過すると、第２の表示切替条件が成立したと判断してステップＳ３に移行し、ここで再び警報情報画像ＧＲ３が第１の箇所Ｐ１に表示されると共に第１のサイズＳＺ１に拡大表示される（図４参照）。
【００２３】
以上の処理を繰り返すことにより、警報条件が成立している限りは警報情報画像ＧＲ３の移動とサイズ変更が繰り返される。なお各ステップＳ５，Ｓ７における計時は、マイクロコンピュータ内の内部タイマを用いることができる。
【００２４】
以上のように、本実施形態では、画像表示装置１０と、この画像表示装置１０に車両情報として計測情報画像ＧＲ１，２と警報情報画像ＧＲ３とを表示させる制御手段２０とを備え、制御手段２０が所定の入力情報に応じて画像表示装置１０の画像表示領域内に計測情報画像ＧＲ１，２を表示させる第１の表示モード（図２中、Ｓ１）と画像表示装置１０に警報情報画像ＧＲ３を表示させる第２の表示モード（図２中、Ｓ３）とを実行してなる車両用表示装置において、制御手段２０は、第２の表示モード（図２中、Ｓ３）で警報情報画像ＧＲ３を表示させる際、警報情報画像ＧＲ３を画像表示領域内の第１の箇所Ｐ１に第１のサイズＳＺ１で表示させ、その後、所定の第１の表示切替条件を充足したか否かを判定し（図２中、Ｓ５）、この条件を充足する場合は警報情報画像ＧＲ３を第１の箇所Ｐ１から画像表示領域内の第２の箇所Ｐ２に移動させて第１のサイズＳＺ１よりも小さな第２のサイズＳＺ２で表示し、その後、所定の第２の表示切替条件を充足したか否かを判定し（図２中、Ｓ７）、この条件を充足した場合は警報情報画像ＧＲ３を第２の箇所Ｐ２から第１の箇所Ｐ１に移動させて第１のサイズＳＺ１と同じサイズで表示させることにより、第１の表示切替条件の成立で警報情報画像ＧＲ３を第１の箇所Ｐ１から第２の箇所Ｐ２に移動して第２のサイズＳＺ２で縮小表示した場合でも、第２の表示切替条件の成立で警報情報画像ＧＲ３を再び第１の箇所Ｐ１に移動して第１のサイズＳＺ１と同じサイズに拡大して表示するため、警報継続による煩わしさの軽減や表示スペースの効率利用を図りながら、警報状態の忘却を防止することができる。
【００２５】
また本実施形態では、警報条件が成立している限り（警報内容について適切な対処がされない限り）警報情報画像ＧＲ３の移動とサイズ変更が繰り返されるため、上記効果をより確実なものすることができる。
【００２６】
なお本実施形態では、第２の表示切替条件を充足した場合、警報情報画像ＧＲ３を第２の箇所Ｐ２から第１の箇所Ｐ１に移動したが、第３の箇所の箇所として図示しないが、画像表示領域内の任意の箇所に移動させてもよい。
【００２７】
また本実施形態では、第２の表示切替条件を充足した場合、警報情報画像ＧＲ３を第１のサイズＳＺ１と同じサイズで表示したが、第３のサイズとして図示しないが、第１のサイズＳＺ１よりも大きなサイズで表示させてもよい。
【００２８】
また本実施形態では、警報情報画像ＧＲ３として、タイヤ空気圧に関する警報を例に説明したが、警報情報の種別は任意であり、例えばエンジン冷却水、チェックエンジン、シートベルト、外気温、ローフューエル、交通情報等に関する警報情報であってもよい。
【００２９】
さらに複数の警報が同時に発生した場合は、それぞれの警報情報画像を同時または所定の順番で移動及びサイズ変更すればよい。
【００３０】
図６（ａ）〜（ｃ）は、本発明の第２の実施形態による表示画像とその推移を示す正面図であり、本実施形態では、第１の表示切替条件（図２中、Ｓ５参照）を充足したとき、警報情報画像ＧＲ３を第１の箇所Ｐ１から第２の箇所Ｐ２に移動させながら、第１のサイズＳＺ１から第２のサイズＳＺ２に徐々に大きさを変化させてなるものである。
【００３１】
このように警報情報画像ＧＲ３の移動とサイズ変更を徐々に（段階的に）行うことにより、警報情報画像ＧＲ３の移動先を認識しやすくすると共に急激な移動とサイズ変更に伴う違和感を軽減することができる。
【００３２】
図７（ａ）〜（ｃ）は、本発明の第３の実施形態による表示画像とその推移を示す正面図であり、本実施形態では、制御手段は第２の表示切替条件（図２中、Ｓ８参照）を充足したとき、警報情報画像ＧＲ３を第２の箇所Ｐ２から第１の箇所Ｐ１に移動させながら、第２のサイズＳＺ２から第１のサイズＳＺ１に徐々に大きさを変化させてなるものである。
【００３３】
このように第２の表示切替条件を充足した時に、警報情報画像ＧＲ３の移動とサイズ変更を徐々に（段階的に）行うことによっても、警報情報画像ＧＲ３の移動先を認識しやすくすると共に急激な移動とサイズ変更に伴う違和感を軽減することができる。
【００３４】
図８（ａ）〜（ｄ）は、本発明の第４の実施形態による表示画像を示す正面図であり、本実施形態では、制御手段２０は第２の表示切替条件（図２中、Ｓ８参照）を充足したとき、警報情報画像ＧＲ３の表示に加え、画像表示装置１０に注意喚起画像ＧＲ４を表示させる例を示している。
【００３５】
すなわち図８（ａ）では、第２の表示切替条件（図２中、Ｓ８参照）を充足したとき、各計測情報画像ＧＲ１，２及び警報情報画像ＧＲ３の外側の背景の色をステップＳ３またはステップＳ６における各計測情報画像ＧＲ１，２及び警報情報画像ＧＲ３の外側の背景の色とは異なる色（例えば赤色等の刺激色）に変化させることにより、注意喚起画像ＧＲ４を表示している。
【００３６】
また図８（ｂ）では、第２の表示切替条件（図２中、Ｓ８参照）を充足したとき、警報情報画像ＧＲ３の周囲に、所定色にてリング状（形状は任意）に発光する注意喚起画像ＧＲ４を表示している。
【００３７】
また図８（ｃ）では、第２の表示切替条件（図２中、Ｓ８参照）を充足したとき、各計測情報画像ＧＲ１，２の周囲に、所定色にてリング状（形状は任意）に発光する注意喚起画像ＧＲ４を表示している。
【００３８】
また図８（ｄ）では、第２の表示切替条件（図２中、Ｓ８参照）を充足したとき、警報情報画像ＧＲ３の周囲に、リング状（形状は任意）に窪む注意喚起画像ＧＲ４を表示している。
【００３９】
以上のごとく、第２の表示切替条件（図２中、Ｓ８参照）を充足したとき、注意喚起画像ＧＲ４を表示する本実施形態によれば、再び警報情報画像を拡大表示する場合には、注意喚起性を向上させることができ、警報状態の忘却防止をより強化することができる。
【００４０】
なお注意喚起画像ＧＲ４は、注意喚起性を向上させることができれば、図８（ａ）〜（ｄ）以外にも任意のパターンが想定され、例えば警報情報画像ＧＲ３をフラッシング表示（表示、非表示を所定周期で繰り返す）させたり、各画像ＧＲ１〜ＧＲ３内の背景色を変化させてもよい。
【図面の簡単な説明】
【００４１】
【図１】本発明の第１の実施形態による車両用表示装置のシステム概要を示すブロック図。
【図２】同実施形態における表示モードの切替処理を示すフロー図。
【図３】同実施形態における表示画像を示す正面図。
【図４】同実施形態における表示画像を示す正面図。
【図５】同実施形態における表示画像を示す正面図。
【図６】（ａ）〜（ｃ）は本発明の第２の実施形態による表示画像とその推移を示す正面図。
【図７】（ａ）〜（ｃ）は本発明の第３の実施形態による表示画像とその推移を示す正面図。
【図８】（ａ）〜（ｄ）は本発明の第４の実施形態による表示画像を示す正面図。
【符号の説明】
【００４２】
１  車両用表示装置
１０  画像表示装置
２０  制御手段
３１  指針
３２  指標部
ＧＲ１  第１の計測情報画像（車両情報）
ＧＲ２  第２の計測情報画像（車両情報）
ＧＲ３  警報情報画像（車両情報）
ＧＲ４  注意喚起表示
Ｐ１  第１の箇所
Ｐ２  第２の箇所
ＳＺ１  第１のサイズ
ＳＺ２  第２のサイズ
【図１】
2010070078.tif 000003
【図２】
2010070078.tif 000004
【図３】
2010070078.tif 000005
【図４】
2010070078.tif 000006
【図５】
2010070078.tif 000007
【図６】
2010070078.tif 000008
【図７】
2010070078.tif 000009
【図８】
2010070078.tif 000010